(57)【要約】【課題】カバー部材をプロテクタ本体に容易に組み付けることができるプロテクタを提供する。【解決手段】カバー部材３の一端側の回動部６がプロテクタ本体２の回動支持部４によって回動可能に支持されることで、カバー部材３をプロテクタ本体２に対して回動させることにより、カバー部材３の他端側の被係止部７をプロテクタ本体２の係止部５に係止させることができる。即ち、一端側においてカバー部材３をプロテクタ本体２に対して位置合わせするだけでよく、カバー部材３をプロテクタ本体２に容易に組み付けることができる。【選択図】図１
2018137897.tif 000002
【特許請求の範囲】
【請求項１】
樋状のプロテクタ本体と、該プロテクタ本体の開口を覆う板状のカバー部材と、を備えて筒状に構成され、ワイヤハーネスを収容するプロテクタであって、
前記カバー部材は、前記ワイヤハーネスの長手方向における一端側に設けられた回動部と、他端側に設けられた被係止部と、を有し、
前記プロテクタ本体は、前記回動部を回動可能に支持する回動支持部と、前記被係止部を係止する係止部と、を有することを特徴とするプロテクタ。
【請求項２】
前記回動部は、前記カバー部材から幅方向に突出した突起状に形成され、
前記回動支持部は、前記回動部を収容するように、前記カバー部材の側を向いて開口した溝状に形成されていることを特徴とする請求項１に記載のプロテクタ。
【請求項３】
前記回動支持部には、前記回動部を係止する第２係止部が設けられ、
前記回動部には、前記プロテクタ本体に前記カバー部材を組み付けた際に前記第２係止部に係止される第２被係止部が形成されていることを特徴とする請求項２に記載のプロテクタ。
【請求項４】
前記回動部の外周面は、切欠き部が形成された断面円弧状の曲面部を有し、
前記切欠き部が前記第２被係止部として機能することを特徴とする請求項３に記載のプロテクタ。
【請求項５】
前記第２係止部は、前記回動支持部における入口側、且つ、前記一端側または前記他端側を基端として、溝の内側に向かって斜めに延びる係止片であることを特徴とする請求項３又は４に記載のプロテクタ。
【発明の詳細な説明】
【技術分野】
【０００１】
本発明は、プロテクタ本体とカバー部材とを備えてワイヤハーネスを収容するプロテクタに関するものである。
【背景技術】
【０００２】
一般に、車両にワイヤハーネスを配索する場合、外力が加わりやすい部分にはワイヤハーネスを保護するためのプロテクタが設けられる。このようなプロテクタとして、樋状のプロテクタ本体に板状の蓋体（カバー部材）が組み付けられるものが提案されている（例えば、特許文献１参照）。特許文献１に記載されたプロテクタでは、長手方向に沿った複数の係止突起が蓋体に設けられるとともに、複数の係止受け部がプロテクタ本体に設けられ、係止突起が係止受け部によって係止されることにより、蓋体がプロテクタ本体に組み付けられる。
【先行技術文献】
【特許文献】
【０００３】
【特許文献１】特開２０１２−１４３０２７号公報
【発明の概要】
【発明が解決しようとする課題】
【０００４】
しかしながら、蓋体をプロテクタ本体に組み付ける際には、複数の係止突起を複数の係止受け部のそれぞれによって略同時に係止させるために、蓋体をプロテクタ本体の底面に平行にしつつその全体を位置合わせする必要がある。従って、プロテクタの配置等、作業条件によってはカバー部材をプロテクタ本体に組み付けにくくなってしまうことがある。
【０００５】
本発明の目的は、カバー部材をプロテクタ本体に容易に組み付けることができるプロテクタを提供することにある。
【課題を解決するための手段】
【０００６】
前記課題を解決し目的を達成するために、請求項１に記載された発明は、樋状のプロテクタ本体と、該プロテクタ本体の開口を覆う板状のカバー部材と、を備えて筒状に構成され、ワイヤハーネスを収容するプロテクタであって、前記カバー部材は、前記ワイヤハーネスの長手方向における一端側に設けられた回動部と、他端側に設けられた被係止部と、を有し、前記プロテクタ本体は、前記回動部を回動可能に支持する回動支持部と、前記被係止部を係止する係止部と、を有することを特徴とするプロテクタである。
【０００７】
請求項２に記載された発明は、請求項１に記載の発明において、前記回動部は、前記カバー部材から幅方向に突出した突起状に形成され、前記回動支持部は、前記回動部を収容するように、前記カバー部材の側を向いて開口した溝状に形成されていることを特徴とするものである。
【０００８】
請求項３に記載された発明は、請求項２に記載の発明において、前記回動支持部には、前記回動部を係止する第２係止部が設けられ、前記回動部には、前記プロテクタ本体に前記カバー部材を組み付けた際に前記第２係止部に係止される第２被係止部が形成されていることを特徴とするものである。
【０００９】
請求項４に記載された発明は、請求項３に記載の発明において、前記回動部の外周面は、切欠き部が形成された断面円弧状の曲面部を有し、前記切欠き部が前記第２被係止部として機能することを特徴とするものである。
【００１０】
請求項５に記載された発明は、請求項３又は４に記載の発明において、前記第２係止部は、前記回動支持部における入口側、且つ、前記一端側または前記他端側を基端として、溝の内側に向かって斜めに延びる係止片であることを特徴とするものである。
【発明の効果】
【００１１】
請求項１記載の発明によれば、カバー部材の一端側の回動部をプロテクタ本体の回動支持部に支持させた後、カバー部材をプロテクタ本体に対して回動させ、カバー部材の他端側の被係止部をプロテクタ本体の係止部に係止させることができる。即ち、一端側においてカバー部材をプロテクタ本体に対して位置合わせするだけでよく、カバー部材をプロテクタ本体に容易に組み付けることができる。
【００１２】
請求項２記載の発明によれば、突起状の回動部を溝状の回動支持部に収容することにより、カバー部材をプロテクタ本体に対して回動させやすくすることができる。
【００１３】
請求項３記載の発明によれば、第２係止部に第２被係止部を係止させることにより、カバー部材の他端側をプロテクタ本体から外れにくくすることができる。さらに、回動部および回動支持部をそれぞれ単なる被係止部および係止部として機能させることができ、他端側の係止部に被係止部を先に係止させた後に、一端側の第２係止部に第２被係止部を係止させたり、一端側と他端側とにおいて略同時に係止部に被係止部を係止させたりすることができる。
【００１４】
請求項４記載の発明によれば、回動部の外周面の曲面部を溝状の回動支持部の内面に当接させることにより、回動部をスムーズに回動させることができる。また、切欠き部が第２係止部として機能することで、回動部を回動させ、プロテクタ本体とカバー部材とが所定の位置関係となった際に第２係止部に第２被係止部を係止させることができる。例えば、プロテクタ本体の底板部とカバー部材とが略平行となるとともに、係止部によって被係止部が係止される位置関係となった場合に、第２係止部によって第２被係止部が係止されるように切欠き部を形成すればよい。
【００１５】
請求項５記載の発明によれば、上記のように回動部および回動支持部を単なる被係止部および係止部として機能させる場合に、係止片を適宜に撓み変形させてから復元させることによって第２被係止部を容易に係止させることができる。
【図面の簡単な説明】
【００１６】
【図１】本発明の実施形態に係るプロテクタを示す斜視図である。
【図２】前記プロテクタの要部を拡大して示す斜視図である。
【図３】前記プロテクタのプロテクタ本体の要部を示す断面図である。
【図４】前記プロテクタの他の要部を拡大して示す斜視図である。
【図５】前記プロテクタのカバー部材の要部を示す側面図である。
【図６】前記プロテクタ本体に前記カバー部材を組み付ける様子を示す斜視図である。
【図７】前記プロテクタ本体に前記カバー部材を組み付ける際の要部を拡大して示す斜視図である。
【図８】前記プロテクタ本体に前記カバー部材を他の方法で組み付ける際の要部を拡大して示す側面図である。
【発明を実施するための形態】
【００１７】
以下、本発明の実施形態を図面に基づいて説明する。図１は、本発明の実施形態に係るプロテクタ１を示す斜視図であり、図２は、プロテクタ１の要部を拡大して示す斜視図であり、図３は、プロテクタ１のプロテクタ本体２の要部を示す断面図であり、図４は、プロテクタ１の他の要部を拡大して示す斜視図であり、図５は、プロテクタ１のカバー部材３の要部を示す側面図であり、図６は、プロテクタ本体２にカバー部材３を組み付ける様子を示す斜視図であり、図７は、プロテクタ本体２にカバー部材３を組み付ける際の要部を拡大して示す斜視図であり、図８は、プロテクタ本体２にカバー部材３を他の方法で組み付ける際の要部を拡大して示す側面図である。
【００１８】
本実施形態のプロテクタ１は、車両に配索されるワイヤハーネスを保護するものであって、図１に示すように、樋状のプロテクタ本体２と、板状のカバー部材３と、を備え、プロテクタ本体２にカバー部材３が組み付けられることで四角筒状となってワイヤハーネスを収容する。ワイヤハーネスは適宜に屈曲されつつプロテクタ１に収容されるが、ワイヤハーネスのうちカバー部材３によって覆われる部分における長手方向をＸ方向とし、カバー部材３の幅方向をＹ方向とし、カバー部材３の板厚方向をＺ方向とする。また、Ｚ方向において、プロテクタ本体２から見てカバー部材３側を上方側とする。
【００１９】
プロテクタ本体２は、底板部２１と、一対の立設壁部２２Ａ、２２Ｂと、を有し、例えば絶縁性の合成樹脂によって構成されている。底板部２１は、上面（立設壁部２２Ａ、２２Ｂが突出する側の面）にワイヤハーネスが載置されるものであり、ワイヤハーネスの配索形状に応じた形状を有する。底板部２１には、固定孔２１１が形成されており、固定孔２１１にボルト等の固着部材が挿入されることにより、プロテクタ本体２が車体パネルに固定される。
【００２０】
一対の立設壁部２２Ａ、２２Ｂは、底板部２１の両端縁から立設されて間にワイヤハーネスが配置されるものであり、ワイヤハーネスの配索形状に応じて適宜に湾曲した形状を有している。立設壁部２２Ａ、２２Ｂには、Ｘ方向一端側（図３における右側）に回動支持部４が設けられ、他端側（図３における左側）に係止部５が設けられている。
【００２１】
回動支持部４は、立設壁部２２Ａ、２２Ｂの上端が切り欠かれることで溝状に形成され、Ｚ方向上方側およびＹ方向内側を向いて開口している。回動支持部４には、図２、３にも示すように、係止片である第２係止部４１が設けられている。第２係止部４１は、溝状の回動支持部４のＸ方向に対向する一対の内面のうち、他端側に位置する内面４２の上端を基端として、Ｚ方向下方側且つＸ方向一端側に斜めに延びる。従って、第２係止部４１は、回動支持部４の入口側、且つ、Ｘ方向他端側を基端として溝の内側に向かって斜めに延びている。
【００２２】
係止部５は、図４にも示すように、立設壁部２２Ａ、２２Ｂの外面から突出した枠状部５１によって構成されている。枠状部５１は、Ｚ方向に沿って延びる一対のガイド枠部５１１と、一対のガイド枠部５１１の上端同士を接続する係止枠部５１２と、を有する。
【００２３】
カバー部材３は、プロテクタ本体２の開口を覆うように組み付けられるものであって、例えば絶縁性の合成樹脂によって構成されている。以下では、カバー部材３の各部の位置や向きは、カバー部材３をプロテクタ本体２に組み付けた状態（即ち、カバー部材３がＸＹ平面に沿って延びる状態）とした場合のものとする。カバー部材３は、Ｘ方向に沿って延びるカバー本体３１と、カバー本体３１のＸ方向一端側に設けられた回動部６と、他端側に設けられた被係止部７と、を有する。
【００２４】
カバー本体３１は、平板状に形成されてプロテクタ本体２の開口を覆う板部３１１と、板部３１１の両端縁から立設されてプロテクタ本体２の立設壁部２２Ａ、２２Ｂの内側に重ねられる縦壁部３１２と、を有する。
【００２５】
回動部６は、図５にも示すように、縦壁部３１２からＹ方向に沿って突出した突起状に形成されるとともに、円柱の略１／４が切り取られた形状を有している。即ち、回動部６の外周面は、略９０°の切欠き部６２が形成された（中心角が略２７０°の）断面円弧状の曲面部６１を有する。切欠き部６２が形成されることで、回動部６の外周面には、Ｚ方向上方側を向く第１面６２１と、Ｘ方向他端側を向く第２面６２２と、が形成されている。
【００２６】
回動部６の突出寸法は、溝状の回動支持部４のＹ方向寸法と同程度または若干小さくなっており、回動部６の直径は、回動支持部４のＸ方向寸法およびＺ方向寸法のいずれよりも小さくなっている。従って、回動部６は、回動支持部４内でＸ方向およびＺ方向に多少移動できるように収容される。
【００２７】
被係止部７は、ＺＸ平面に沿って延びる板状に形成されるとともに、その内面に係止突起７１およびガイドリブ７２が形成されている。
【００２８】
係止突起７１は、上方側に向かうにしたがって内側に向かうように傾斜した傾斜部と、上方側を向いた被係止面と、を備えたランス形状となっている。カバー部材３をプロテクタ本体２に近づけていく際に、係止突起７１の傾斜部が係止部５の係止枠部５１２に当接することにより、板状の被係止部７が外側に撓み変形する。係止突起７１が係止枠部５１２を乗り越えると被係止部７が復元し、係止枠部５１２によって係止突起７１の被係止面が係止される。
【００２９】
ガイドリブ７２は、Ｚ方向に沿って延び、カバー部材３をプロテクタ本体２に近づけていく際に、係止部５の一方のガイド枠部５１１にＸ方向に隣り合うように位置づけられて摺接することで、プロテクタ本体２に対してカバー部材３の他端側がＺ方向に近づくようにガイドする。
【００３０】
以上のようなプロテクタ本体２にカバー部材３を組み付ける第１の組付方法について説明する。まず、図６、７に示すように、カバー部材３をプロテクタ本体２の底板部２１に対して傾斜させた状態で回動部６を回動支持部４に収容する。このとき、回動部６を溝状の回動支持部４のうち一端側に位置づけつつ収容することで第２係止部４１を変形させないようにしてもよいし、回動部６を溝状の回動支持部４のうち他端側に位置づけつつ収容することで第２係止部４１を変形させてもよい。
【００３１】
回動部６が回動支持部４に収容され支持された状態において、回動部６を回動軸としてカバー部材３を回動させ、他端側の被係止部７を係止部５に近づけていく。これにより、上記のようにガイドリブ７２によって被係止部７がガイドされ、係止部５によって被係止部７が係止される。
【００３２】
このように係止部５によって被係止部７が係止されると、プロテクタ本体２とカバー部材３との相対位置が決まる。このとき、図３に示すように、回動部６は回動支持部４における他端側に位置するとともに、第１面６２１が第２係止部４１の下方に位置する。即ち、第１面６２１は第２係止部４１に当接可能な位置にあり、カバー部材３の一端側がプロテクタ本体２から離れるような移動を規制する。即ち、第１面６２１が第２係止部４１に係止され、切欠き部６２が第２被係止部として機能する。
【００３３】
尚、カバー部材３を回動させる際、ガイドリブ７２によって被係止部７がガイドされることにより、一端側に位置する回動部６が他端側に移動し、第１面６２１が第２係止部４１の下方に位置づけられてもよい。即ち、カバー部材３の回動時に第２係止部４１が変形しなくてもよい。また、回動部６が他端側に位置づけられ、第２係止部４１が内面４２に押し付けられるように変形し、このような状態でカバー部材３が回動し、第１面６２１が上方を向くことで第２係止部４１が復元してもよい。
【００３４】
以上のようにプロテクタ本体２にカバー部材３を組み付けることで、一端側においてプロテクタ本体２の第２係止部４１によってカバー部材３の第１面６２１が係止され、他端側においてプロテクタ本体２の係止部５によってカバー部材３の被係止部７が係止される。
【００３５】
次に、プロテクタ本体２にカバー部材３を組み付ける第２の組付方法について、図８に基づいて説明する。第２の組付方法は、カバー部材３をプロテクタ本体２に対して他端側から組み付けたり、一端側と他端側とを略同時に組み付けたりする方法である。
【００３６】
カバー部材３の他端側がプロテクタ本体２に組み付けられている（被係止部７が係止部５に係止されている）状態において、カバー部材３の一端側をプロテクタ本体２に近づけていくと、回動部６は、一端側を中心とする円弧に沿うように（即ち、ほぼＺ方向に沿って）移動して回動支持部４に収容される。このとき、回動部６の曲面部６１によって第２係止部４１が内面４２に押し付けられるように変形する。図８に二点鎖線で示すように切欠き部６２に第２係止部４１が位置づけられると、第２係止部４１が復元する。これにより、第２係止部４１によって回動部６の第１面６２１が係止される。
【００３７】
カバー部材３の一端側と他端側とを略同時に組み付ける場合、カバー部材３の回動部６はＺ方向に沿って移動して回動支持部４に収容され、上記と同様に第２係止部４１によって回動部６の第１面６２１が係止される。このとき、略同時に被係止部７が係止部５に係止される。
【００３８】
以上のように、第２の組付方法においても、第１の組付方法と同様にカバー部材３のＸ方向両端がプロテクタ本体２に係止される。
【００３９】
このような本実施形態によれば、以下のような効果がある。即ち、カバー部材３の一端側の回動部６がプロテクタ本体２の回動支持部４によって回動可能に支持されることで、カバー部材３をプロテクタ本体２に対して回動させることにより、カバー部材３の他端側の被係止部７をプロテクタ本体２の係止部５に係止させることができる。即ち、一端側においてカバー部材３をプロテクタ本体２に対して位置合わせするだけでよく、カバー部材３をプロテクタ本体２に容易に組み付けることができる。
【００４０】
また、突起状の回動部６を溝状の回動支持部４に収容することにより、カバー部材３をプロテクタ本体２に対して回動させやすくすることができる。
【００４１】
また、第２係止部４１に回動部６の第１面６２１を係止させることにより、カバー部材３の他端側をプロテクタ本体２から外れにくくすることができる。さらに、回動部６および回動支持部４をそれぞれ単なる被係止部および係止部として機能させ、上記のような第２の組付方法によってカバー部材３をプロテクタ本体２に組み付けることができる。
【００４２】
また、回動部６の外周面の曲面部６１を溝状の回動支持部４の内面に当接させることにより、回動部６をスムーズに回動させることができる。また、回動部６の切欠き部６２が第２係止部として機能することで、回動部６を回動させ、係止部５によって被係止部７が係止される際に第２係止部４１に第１面６２１を係止させることができる。
【００４３】
また、第２係止部４１が溝状の回動支持部４の入口側を基端として溝の内側に向かって斜めに延びる係止片であることで、係止片を適宜に撓み変形させてから復元させることによって第１面６２１を容易に係止させることができる。
【００４４】
なお、本発明は、前記実施形態に限定されるものではなく、本発明の目的が達成できる他の構成等を含み、以下に示すような変形等も本発明に含まれる。
【００４５】
例えば、前記実施形態では、第２係止部４１が回動支持部４の入口側、且つ、他端側を基端として溝の内側に向かって斜めに延びるものとしたが、第２係止部は、一端側を基端として斜めに延びるものであってもよい。このとき、回動部の外周面は、上方を向く面と一端側を向く面とを有して切り欠かれていればよい。また、第２係止部は、斜めに延びていなくてもよく、溝の一部を上方から塞ぐようにＸ方向に沿って延びていてもよい。また、第２係止部は、入口側を基端としていなくてもよく、溝の内側において適宜な深さを有する位置を基端としてもよい。
【００４６】
また、前記実施形態では、回動部６に、円柱の略１／４が切り欠かれた形状を有する（略９０°の切欠き部６２が形成される）ものとしたが、切欠き部は、第２係止部を収容することで係止されるような適宜な角度を有したものであればよい。また、回動部は切欠き部を有していなくてもよく、例えば外周面の一部に平面部を有し、この平面部が第２係止部によって係止される構成としてもよい。また、回動部の外周面は曲面部を有していなくてもよく、角柱状の回動部としてもよい。
【００４７】
また、前記実施形態では、溝状の回動支持部４に突起状の回動部６が収容され、プロテクタ本体２にカバー部材３を組み付けた際に、回動支持部４に設けられた第２係止部４１によって回動部６の第１面６２１が係止され、係止部５によって被係止部７を係止した際にのみカバー部材３の一端側がプロテクタ本体２から外れないものとしたが、本発明はこのような構成に限定されない。例えば、入口側を狭くした断面Ｃ字状の回動支持部に円柱状の回動部を圧入することにより、常に回動支持部から回動部が外れないようにしつつ回動可能に支持する構成としてもよい。
【００４８】
また、前記実施形態では、プロテクタ本体２が溝状の回動支持部４を有するとともに、カバー部材３が突起状の回動部６を有するものとしたが、プロテクタ本体が突起状の回動支持部を有するとともにカバー部材が溝状の回動部を有する構成としてもよい。
【００４９】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５０】
１          プロテクタ
２          プロテクタ本体
３          カバー部材
４          回動支持部
４１        第２係止部
５          係止部
６          回動部
６１        曲面部
６２        切欠き部（第２被係止部）
７          被係止部
【図１】
2018137897.tif 000003
【図２】
2018137897.tif 000004
【図３】
2018137897.tif 000005
【図４】
2018137897.tif 000006
【図５】
2018137897.tif 000007
【図６】
2018137897.tif 000008
【図７】
2018137897.tif 000009
【図８】
2018137897.tif 000010